(57)【要約】      （修正有）【課題】机上や壁に繰り返し貼ったりはがしたりしても糊残りを起さず固定できる付箋紙及びメモ紙の保持体を提供する。【解決手段】付箋紙及びメモ紙２を保持体３に載置し、その保持体に多孔質構造の再剥離性吸着材１を固着させることにより、机上や壁に糊跡を残さず繰り返し貼ったりはがしたりできるので、使用者の利便性を大きく向上させる特徴をもつ再剥離性吸着材付き付箋紙及びメモ紙の保持体となっている。【選択図】図１
0003179690.tif 000002
【実用新案登録請求の範囲】
【請求項１】
付箋紙及びメモ紙の載置面を備えたベースとそのベースの裏に多孔質構造を有する再剥離性吸着材を固着させたことを特徴とする再剥離性吸着材付き付箋紙及びメモ紙の保持体。
【請求項２】
前記保持体は、厚さ０．１ｍｍから１．０ｍｍの紙あるいはプラスチック樹脂のシートを使用し、形状を自由に加工することができることを特徴とする請求項１の再剥離性吸着材付き付箋紙及びメモ紙の保持体。
【考案の詳細な説明】
【技術分野】
【０００１】  本考案は、再剥離性吸着材を用いた付箋紙及びメモ紙の保持体に関する。
【背景技術】
【０００２】  従来、付箋紙及びメモ紙は、紙が積層されていて、片手で積層された付箋紙及び積層されたメモ紙を押さえ、もう一方の手によって最上部の１枚をはがさなくてはならないという、両手が必要である問題があった。特に片手にペンや物を持っているときは、ペンや物を置かないと付箋紙やメモ紙をめくりにくいという問題もあった。そこで机上や壁に固定できて片手でめくれる付箋紙及びメモ紙の保持体が求められていた。【０００３】  また、付箋紙及びメモ紙を使用中に机上に置いといても紛失しないよう、付箋紙及びメモ紙の保持体の底面に粘着剤をもって固定した場合、糊跡を残さず簡単に取り外しができずに移動しにくい問題があった。そこで固定したあとに糊跡を残さないで繰り返し机上や壁に貼ってはがせる付箋紙及びメモ紙が求められていた。【０００４】  プラスチック樹脂で作った保持体にあっては、円状の吸盤を使って机上に固定でき（特許文献１）付箋紙及びメモ紙を片手でめくれる利便性がある反面、カバーのサイズが決まっているため限られた付箋紙及びメモ用紙のサイズにしか適応できない。そこで、付箋紙及びメモ紙のあらゆるサイズに適応でき片手でめくれて机上や壁に繰り返し貼ったりはがしたりできる付箋紙及びメモ紙の保持体が求められていた。【０００５】  プラスチック樹脂で作った保持体の側面にマグネットを貼ってある壁に貼る専用保持体にあっては、壁に繰り返し貼ったりはがしたりして移動できる利便性がある反面、カバーのサイズが決まっているため限られた付箋紙及びメモ紙のサイズにのみ適応と同時に、側面についたマグネットでは机上に固定できない。そこで付箋紙及びメモ紙の多くのサイズに適応でき片手でめくれて机上や壁に繰り返し貼ったりはがしたりできる付箋紙及びメモ紙の保持体が求められていた。
【先行技術文献】
【特許文献】
【０００６】
【特許文献１】実用新案登録第３１２５０７３号公報
【考案の概要】
【考案が解決しようとする課題】
【０００７】  解決しようとする問題点は、付箋紙及びメモ紙を片手でめくれないと利便性が悪く、また、使用中に机上か壁に固定しておかないと紛失することがよくおこる。そこで机上や壁に繰り返し貼ったりはがしたり固定でき糊跡がのこらない再剥離性吸着材付き付箋紙及びメモ紙の保持具を提供することである。
【課題を解決するための手段】
【０００８】  本考案によれば以下の考案が提供される。
（１）  多孔質構造を有することを特徴とする再剥離性吸着材。０．４〜０．８ｇ／ｃｍ３の密度を有するアクリル発泡材で、吸着力は０．５〜５Ｎ／２０ｍｍが好ましく用いられる。かかる吸着材を用いることで、吸着と剥離を容易に繰り返すことができる。【０００９】（２）  （１）に記載の再剥離性吸着材を付箋紙及びメモ紙の載置面を有する厚さ０．１ｍｍから１．０ｍｍの紙あるいはプラスチック樹脂の底面に固着することにより、繰り返し貼ったりはがしたりできる付箋紙及びメモ紙の保持体を構成する。固着方法は、例えば粘着性の接着剤や両面テープなどが用いられるが、これに限らない。
【考案の効果】
【００１０】  本考案によれば、付箋紙及びメモ紙の保持体は、机上や壁に固定したあとはがしても、糊跡を残さないので、貼った相手を汚す心配がなく、安心して貼る場所を移動することができる。机上に置いといて移動してしまい紛失する要因を回避できると同時に、片手で付箋紙及びメモ紙をめくることができるためとても便利な効果を有する。
【図面の簡単な説明】
【００１１】
【図１】図１は本考案の再剥離性吸着材付き付箋紙及びメモ紙の保持体の使用状況を示す斜視図である。（実施例１）
【図２】図２は付箋紙及びメモ紙を保持体に取り付けた説明図である。（実施例１）
【図３】図３は本考案の再剥離性吸着材の吸着力に対応した貼り面積の説明図である。（実施例１）
【考案を実施するための形態】
【００１２】  付箋紙は一般に５０から２００枚の用紙の上部を微粘着剤により積層し固定されている。また、サイズは縦７５ｍｍ、横７５ｍｍの四角形か縦７５ｍｍ、横２５ｍｍを３本並べた形状が一般的であるが、その他にも様々なサイズがある。
【００１３】  メモ紙は一般に用紙の背面を簡易にのり付けすることにより積層し固定されている。サイズは縦７５ｍｍ、横２５ｍｍを３本並べた形状か縦５０ｍｍ、横５０ｍｍの四角形が一般的であるが、その他にも様々なサイズがある。
【実施例１】
【００１４】  図１は本考案の実施形態の１つである、再剥離性吸着材を固着した厚さ０．２ｍｍの紙で作られた付箋紙及びメモ紙の保持体の構造を示す。付箋紙及びメモ紙は保持体の上に取り付けられている。これによって、保持体の底面での繰り返し貼ったりはがしたりできる機能を有すことが出来る。積層枚数は１００枚で、付箋紙及びメモ紙を押さえることなく片手で簡単にめくれ、机上や壁のどちらでも繰り返し貼ったりはがしたりすことができる。【００１５】  ３は、付箋紙及びメモ紙の保持体を示す。例えば図２の、２−１の保持体は付箋紙及びメモ紙の表裏に２つに折り返したシートが使われ、２−２の保持体は、付箋紙あるいはメモ紙が上に取り付けられた形状であるがこれらに限られない。【００１６】  １は、机上や壁に固定の際に、再剥離性吸着材を示している。例えば、図３の３−１から３−６までのような配置方法が可能であるがこれらに限られない。【００１７】  落下防止の観点から、付箋、メモ用紙底面の面積比率で１０％〜９０％の再剥離性吸着材を必要とする。付箋紙及びメモ紙の重量により面積比率は勘案し、より好ましくは、１０％〜４０％である。【００１８】  貼れる場所は、スチール、ガラス・鏡・化粧板・樹脂板など表面の平滑性を有するものであれば何にでも可能である。ただし、机、壁等の被着体は、平滑で、比較的強固な構造を想定しており、和紙などの柔らかい壁紙、塗り壁など表面部の塗膜が極端に弱い壁面、凹凸の大きい布上の壁紙などの場合は、ユーザーによる落下テスト確認後使用することが好ましい。【００１９】  再剥離性吸着材は一度はがした場合でもゴミなどの阻害要因が付着しなければ何度でも貼ることが出来、阻害要因が付着した場合でも、水拭きなどで阻害要因を取り除けば元の吸着性能を回復することが可能となる。
【産業上の利用可能性】
【００２０】  本考案によれば、机上や壁に糊跡を残さず繰り返し貼ったりはがしたりでき、いろいろな場所に移動することができる付箋紙及びメモ紙の保持具が提供され、文具産業やノベルティ産業に利用できる。
【符号の説明】
【００２１】１    再剥離性吸着材
２    付箋紙及びメモ紙
３    付箋紙及びメモ紙の保持体
【図１】
0003179690.tif 000003
【図２】
0003179690.tif 000004
【図３】
0003179690.tif 000005